(57)【要約】  本発明にかかる電圧検出回路は、複数のセルを直列に接続して構成される組電池の各セル電圧を測定する。電圧検出回路を第１の電圧検出回路とし、電圧検出回路は、互いに直列に接続された複数の電圧検出回路と通信を行うホスト装置と通信を行う下流側通信回路と、第１の電圧検出回路よりも上流側に設けられた第３の電圧検出回路と通信を行う上流側通信回路と、第１の電圧検出回路により検出されたデータを含むリプライ信号を発生するリプライ信号発生回路と、上流側通信回路により受信された信号を下流側に転送する上流側転送回路と、ダミー電流を消費するダミー電流消費回路と、ホスト装置から受信した通信コマンドの信号に基づいて、リプライ信号発生回路と、上流側転送回路と、ダミー電流消費回路とのうちのいずれか１つを選択的に動作させるように制御する制御回路とを備える。
2019044854.tif 000002
【特許請求の範囲】
【請求項１】
複数のセルを直列に接続して構成される組電池の各セル電圧を測定する電圧検出回路であって、
前記電圧検出回路を第１の電圧検出回路とし、
前記電圧検出回路は、
前記第１の電圧検出回路により検出されたデータを含むリプライ信号を発生するリプライ信号発生回路と、
上流側通信回路により受信された信号を下流側に転送する上流側転送回路と、
所定のダミー電流を消費するダミー電流消費回路と、
通信コマンドの信号に基づいて、前記リプライ信号発生回路と、前記上流側転送回路と、前記ダミー電流消費回路とのうちのいずれか１つを選択的に動作させるように制御する制御回路と
を備えることを特徴とする電圧検出回路。
【請求項２】
前記上流側通信回路は、前記第１の電圧検出回路よりも上流側に設けられた第３の電圧検出回路と通信を行うことを特徴とする請求項１記載の電圧検出回路。
【請求項３】
前記電圧検出回路は、更に、互いに直列に接続された複数の電圧検出回路と通信を行うホスト装置と、もしくは前記第１の電圧検出回路よりも下流側に設けられた第２の電圧検出回路を介して前記ホスト装置と、通信を行う下流側通信回路を備えることを特徴とする請求項１又は２記載の電圧検出回路。
【請求項４】
前記通信コマンドの信号は、前記ホスト装置から受信することを特徴とする請求項３記載の電圧検出回路。
【請求項５】
前記制御回路は、前記通信コマンドの信号が、前記第１の電圧検出回路により検出されたデータを要求することを示すとき、前記リプライ信号発生回路を選択して動作させることを特徴とする請求項１〜４のうちのいずれか１つに記載の電圧検出回路。
【請求項６】
前記制御回路は、前記通信コマンドの信号が、前記第３の電圧検出回路により検出されたデータを要求することを示すとき、前記上流側転送回路を選択して動作させることを特徴とする、請求項２と、請求項２に従属する請求項３及び４とのうちのいずれか１つに記載の電圧検出回路。
【請求項７】
前記制御回路は、前記通信コマンドの信号が、前記第２の電圧検出回路により検出されたデータを要求することを示すとき、前記ダミー電流消費回路を選択して動作させるように制御する
ことを特徴とする請求項３又は４に記載の電圧検出回路。
【請求項８】
前記ダミー電流消費回路は、前記リプライ信号発生回路によるリプライ信号の送信における消費電力と同一の消費電力を消費してダミーリプライ信号を発生するダミーリプライ信号発生回路であることを特徴とする請求項１〜７のうちのいずれか１つに記載の電圧検出回路。
【請求項９】
前記ダミーリプライ信号発生回路は、前記リプライ信号発生回路の通信速度より速い通信速度でダミーリプライ信号を送信することを特徴とする請求項８記載の電圧検出回路。
【請求項１０】
前記ダミー電流消費回路は、前記リプライ信号発生回路によるリプライ信号の送信における消費電力と同一の消費電力を消費してダミー電流を発生するダミー電流発生回路であることを特徴とする請求項１〜９のうちのいずれか１つに記載の電圧検出回路。
【請求項１１】
前記上流側転送回路の消費電力と、前記リプライ信号発生回路の消費電力と、前記ダミー電流消費回路の消費電力とは互いに同一であることを特徴とする請求項１〜１０のうちのいずれか１つに記載の電圧検出回路。
【請求項１２】
前記複数のセルのうち最上流のセルのセル電圧を検出する電圧検出回路の前記上流側通信回路は、上流側の電圧検出回路からのダミーリプライ信号を受信しないことを特徴とする請求項１〜１０のうちのいずれか１つに記載の電圧検出回路。
【請求項１３】
前記データは、前記第１の電圧検出回路により検出されたセル電圧の電池データを含むことを特徴とする請求項１〜１２のうちのいずれか１つに記載の電圧検出回路。
【請求項１４】
複数個の電圧検出回路と、前記複数個の電圧検出回路と通信を行うホスト装置とを備え、複数のセルを直列に接続して構成される組電池の複数のセル電圧を測定する電圧測定装置であって、
前記複数個の電圧検出回路のうちの１つの電圧検出回路を第１の電圧検出回路とし、
前記各電圧検出回路は、
互いに直列に接続された複数の電圧検出回路と通信を行うホスト装置と、もしくは前記第１の電圧検出回路よりも下流側に設けられた第２の電圧検出回路を介して前記ホスト装置と、通信を行う下流側通信回路と、
前記第１の電圧検出回路よりも上流側に設けられた第３の電圧検出回路と通信を行う上流側通信回路と、
前記第１の電圧検出回路により検出されたデータを含むリプライ信号を発生するリプライ信号発生回路と、
前記上流側通信回路により受信された信号を下流側に転送する上流側転送回路と、
所定のダミー電流を消費するダミー電流消費回路と、
前記ホスト装置から受信した通信コマンドの信号に基づいて、前記リプライ信号発生回路と、前記上流側転送回路と、前記ダミー電流消費回路とのうちのいずれか１つを選択的に動作させるように制御する制御回路と
を備えることを特徴とする電圧測定装置。
【請求項１５】
前記データは、前記第１の電圧検出回路により検出されたセル電圧の電池データを含むことを特徴とする請求項１４に記載の電圧測定装置。
【請求項１６】
複数個の電圧検出回路と、ホスト装置と、複数のセルを直列に接続して構成される組電池とを備え、前記組電池の複数のセル電圧を測定する組電池システムであって、
前記複数個の電圧検出回路のうちの１つの電圧検出回路を第１の電圧検出回路とし、
前記各電圧検出回路は、
互いに直列に接続された複数の電圧検出回路と通信を行うホスト装置と、もしくは前記第１の電圧検出回路よりも下流側に設けられた第２の電圧検出回路を介して前記ホスト装置と、通信を行う下流側通信回路と、
前記第１の電圧検出回路よりも上流側に設けられた第３の電圧検出回路と通信を行う上流側通信回路と、
前記第１の電圧検出回路により検出されたデータを含むリプライ信号を発生するリプライ信号発生回路と、
前記上流側通信回路により受信された信号を下流側に転送する上流側転送回路と、
所定のダミー電流を消費するダミー電流消費回路と、
前記ホスト装置から受信した通信コマンドの信号に基づいて、前記リプライ信号発生回路と、前記上流側転送回路と、前記ダミー電流消費回路とのうちのいずれか１つを選択的に動作させるように制御する制御回路と
を備えることを特徴とする組電池システム。
【請求項１７】
前記データは、前記第１の電圧検出回路により検出されたセル電圧の電池データを含むことを特徴とする請求項１６に記載の組電池システム。
【発明の詳細な説明】
【技術分野】
【０００１】
本発明は、電圧検出回路、電圧測定装置及び組電池システムに関する。
【背景技術】
【０００２】
図１Ａは従来例の電圧測定装置において、電圧検出回路１０１からのデータ取得を示す電圧測定装置のブロック図であり、図１Ｂは従来例の電圧測定装置において、電圧検出回路１０３からのデータ取得を示す電圧測定装置のブロック図である。図１Ａ及び図１Ｂにおいて、従来例の電圧測定装置は、ＭＣＵ（Ｍｉｃｒｏ  Ｃｏｎｔｒｏｌ  Ｕｎｉｔ）及び通信回路からなるホスト装置１００と、電圧検出回路１０１，１０２，１０３とを備えて構成される。ここで、Ｂ１，Ｂ２，Ｂ３はそれぞれ電池セル（以下、セルという）であって、例えば複数の電池が直列接続されて構成され、ＢＡはセルＢ１，Ｂ２，Ｂ３が直列に接続された組電池である。【０００３】
従来例では、図１Ａに示すように、ＭＣＵからディジーチェーン接続された３個の電圧検出回路１０１，１０２，１０３の内１つの電圧検出回路に対するデータ読み出し命令を送信する。命令はディジーチェーン接続されたすべての電圧検出回路１０１，１０２，１０３に受け渡され、対象となった電圧検出回路だけがデータを返信する。返信データはディジーチェーンで順次受け渡されＭＣＵが受信する。
【先行技術文献】
【特許文献】
【０００４】
【特許文献１】特許第５５０３９２４号公報
【発明の概要】
【発明が解決しようとする課題】
【０００５】
従来例では、ＭＣＵに近い下流側の電圧検出回路はデータ送信の頻度が高く、ＭＣＵから遠い上流側の電圧検出回路の送信頻度は低くなる。これにより、データ通信時の消費電流又は消費電力において、電圧検出回路間で差が発生し、複数のセル電圧が不均一となる。【０００６】
本発明の目的は、複数の電圧検出回路間の通信時の消費電力のばらつきを低減することにある。
【課題を解決するための手段】
【０００７】
本発明の一態様にかかる電圧検出回路は、複数のセルを直列に接続して構成される組電池の各セル電圧を測定する電圧検出回路であって、
前記電圧検出回路を第１の電圧検出回路とし、
前記電圧検出回路は、
前記第１の電圧検出回路により検出されたデータを含むリプライ信号を発生するリプライ信号発生回路と、
上流側通信回路により受信された信号を下流側に転送する上流側転送回路と、
所定のダミー電流を消費するダミー電流消費回路と、
通信コマンドの信号に基づいて、前記リプライ信号発生回路と、前記上流側転送回路と、前記ダミー電流消費回路とのうちのいずれか１つを選択的に動作させるように制御する制御回路と
を備える。
【発明の効果】
【０００８】
従って、本発明によれば、前記制御回路が前記ホスト装置から受信した通信コマンドの信号に基づいて、前記リプライ信号発生回路と、前記上流側転送回路と、前記ダミー電流消費回路とのうちのいずれか１つを選択的に動作させるように制御する。これにより、複数の電圧検出回路間の通信時の消費電力のばらつきを低減して均一化できる。
【図面の簡単な説明】
【０００９】
【図１Ａ】従来例の電圧測定装置において、電圧検出回路１０１からのデータ取得を示す電圧測定装置のブロック図である。
【図１Ｂ】従来例の電圧測定装置において、電圧検出回路１０３からのデータ取得を示す電圧測定装置のブロック図である。
【図２】本発明の実施形態１にかかる電圧検出回路１，２，３、電圧測定装置２１０及び組電池システム２００の構成例を示すブロック図である。
【図３】図２の組電池システム２００の動作例を示すタイミングチャートである。
【図４】本発明の実施形態２にかかる電圧検出回路１Ａ，２Ａ，３Ａ、電圧測定装置２１０Ａ及び組電池システム２００Ａの構成例を示すブロック図である。
【図５】本発明の実施形態３にかかる電圧検出回路１Ｂ，２Ｂ，３Ｂ、電圧測定装置２１０Ｂ及び組電池システム２００Ｂの構成例を示すブロック図である。
【図６Ａ】図５の電圧検出回路１Ｂの詳細構成例を示すブロック図である。
【図６Ｂ】図５の電圧検出回路２Ｂの詳細構成例を示すブロック図である。
【図６Ｃ】図５の電圧検出回路３Ｂの詳細構成例を示すブロック図である。
【図７】図５の組電池システム２００Ｂの動作例を示すタイミングチャートである。
【図８】本発明の実施形態４にかかる電圧検出回路１Ｃ，２Ｃ，３Ｃ、電圧測定装置２１０Ｃ及び組電池システム２００Ｃの構成例を示すブロック図である。
【図９Ａ】図８の電圧検出回路１Ｃの詳細構成例を示すブロック図である。
【図９Ｂ】図８の電圧検出回路２Ｃの詳細構成例を示すブロック図である。
【図９Ｃ】図８の電圧検出回路３Ｃの詳細構成例を示すブロック図である。
【図１０】図８の組電池システム２００Ｃの動作例を示すタイミングチャートである。
【図１１Ａ】変形例１にかかる、上流側電圧検出回路４Ａと、下流側電圧検出回路４Ｂとの間の通信線の方式例１を示すブロック図である。
【図１１Ｂ】変形例１にかかる、上流側電圧検出回路４Ａと、下流側電圧検出回路４Ｂとの間の通信線の方式例２を示すブロック図である。
【図１１Ｃ】変形例１にかかる、上流側電圧検出回路４Ａと、下流側電圧検出回路４Ｂとの間の通信線の方式例３を示すブロック図である。
【発明を実施するための形態】
【００１０】
以下、本発明の実施形態について以下に説明する。図面において同一又は同様の構成要素については同一の符号を付して詳細説明を省略する。
【００１１】
実施形態１
図２は本発明の実施形態１にかかる電圧検出回路１，２，３、電圧測定装置２１０及び組電池システム２００の構成例を示すブロック図である。
【００１２】
図２において、組電池システム２００は、複数のセルＢ１，Ｂ２，Ｂ３を直列に接続して構成される組電池ＢＡと、電圧測定装置２１０とを備えて構成される。ここで、電圧測定装置２１０は、ＭＣＵ（Ｍｉｃｒｏ  Ｃｏｎｔｒｏｌ  Ｕｎｉｔ）及び通信回路からなるホスト装置５０と、３個の電圧検出回路１，２，３とを備える。各電圧検出回路１，２，３は、組電池ＢＡの各セルＢ１，Ｂ２，Ｂ３の各セル電圧を測定するために設けられる。なお、組電池ＢＡの各セルＢ１，Ｂ２，Ｂ３の各セル電圧は、例えば、電圧検出回路１，２，３を接続していないときに互いに同一であるように設定される。ここで、ホスト装置５０と、電圧検出回路１，２，３とは、ディジーチェーン接続で例えば有線回線を介して直列に接続されている。ここで、ホスト装置５０に近い回路を「下流側回路」といい、ホスト装置５０から遠い回路を「上流側回路」といい、他の実施形態でも同様とする。
【００１３】
電圧検出回路１は、制御回路１０と、下流側通信回路１１と、上流側通信回路１２と、データ送信回路１３と、データ転送回路１４と、ダミーデータ送信回路１５とを備える。下流側通信回路１１は、ホスト装置５０からのデータを受信する機能と、ホスト装置５０へデータを送信する機能を備える。上流側通信回路１２は、ホスト装置５０からのデータを他の電圧検出回路２，３へ転送する機能と、他の電圧検出回路２，３からのデータを受信する機能を備える。制御回路１０は、下流側通信回路１１がホスト装置５０から受信したデータ読出し命令を含むデータに基づいて、
（１）セルＢ１の電池データ（セル電圧等の情報を含み、以下同様である）を送信するデータ送信回路１３と、
（２）所定のダミーデータを送信するダミーデータ送信回路１５と、
（３）上流側通信回路１２で受信したデータを転送するデータ転送回路１４と
のうちのいずれか１つを選択し、選択した回路からのデータを、下流側通信回路１１からホスト装置５０に送信するように下流側通信回路１１を制御する。制御回路１０はまた、下流側通信回路１１及び上流側通信回路１２の通信動作を制御する。
【００１４】
ホスト装置５０からのデータ読出し命令を含むデータは、各セルＢ１，Ｂ２，Ｂ３のうちのいずれの電池データを読み出すかを示すセル指定データを含み、下流側通信回路１１から上流側通信回路１２を介して電圧検出回路２に送信される。
（Ａ）前記セル指定データがセルＢ１であるときは、制御回路１０は、セルＢ１の電池データをデータ送信回路１３から下流側通信回路１１を介してホスト装置５０に送信するように、データ送信回路１３及び下流側通信回路１１を制御する。
（Ｂ）前記セル指定データが当該電圧検出回路１よりもホスト装置５０から見て遠い上流側のセルＢ２又はＢ３であるときは、制御回路１０は、上流側通信回路１２で受信したデータを下流側通信回路１１を介してホスト装置５０に送信するように、データ転送回路１４を制御する。
（Ｃ）前記セル指定データが当該電圧検出回路１よりもホスト装置５０から見て近い下流側のセルであるとき、この場合において、セルＢ１よりも下流側のセルが存在しないので、制御回路１０は、ダミーデータを発生してホスト装置５０に送信するように、ダミーデータ送信回路１５を制御することはしない。
【００１５】
電圧検出回路２は、制御回路２０と、下流側通信回路２１と、上流側通信回路２２と、データ送信回路２３と、データ転送回路２４と、ダミーデータ送信回路２５とを備える。下流側通信回路２１は、ホスト装置５０から電圧検出回路１を介してデータを受信する機能と、電圧検出回路１を介してホスト装置５０へデータを送信する機能を備える。上流側通信回路２２は、ホスト装置５０から電圧検出回路１を介して受信したデータを他の電圧検出回路３へ転送する機能と、他の電圧検出回路３からのデータを受信する機能を備える。制御回路２０は、下流側通信回路２１がホスト装置５０から電圧検出回路１を介して受信したデータ読出し命令を含むデータに基づいて、
（１）セルＢ２の電池データを送信するデータ送信回路２３と、
（２）所定のダミーデータを送信するダミーデータ送信回路２５と、
（３）上流側通信回路２２で受信したデータを転送するデータ転送回路２４と
のうちのいずれか１つを選択し、選択した回路からのデータを、下流側通信回路２１から電圧検出回路１を介してホスト装置５０に送信するように下流側通信回路２１を制御する。制御回路２０はまた、下流側通信回路２１及び上流側通信回路２２の通信動作を制御する。
【００１６】
ホスト装置５０から電圧検出回路１を介して受信したデータ読出し命令を含むデータは、各セルＢ１，Ｂ２，Ｂ３のうちのいずれの電池データを読み出すかを示すセル指定データを含み、下流側通信回路２１から上流側通信回路２２を介して電圧検出回路３に送信される。
（Ａ）前記セル指定データがセルＢ２であるときは、制御回路２０は、セルＢ２の電池データをデータ送信回路２３から下流側通信回路２１及び電圧検出回路１を介してホスト装置５０に送信するように、データ送信回路２３及び下流側通信回路２１を制御する。
（Ｂ）前記セル指定データが当該電圧検出回路１よりもホスト装置５０から見て遠い上流側のセルＢ３であるときは、制御回路２０は、上流側通信回路２２で受信したデータを下流側通信回路２１及び電圧検出回路１を介してホスト装置５０に送信するように、データ転送回路２４を制御する。
（Ｃ）前記セル指定データが当該電圧検出回路１よりもホスト装置５０から見て近い下流側のセルＢ１であるときは、制御回路２０は、ダミーデータを発生してホスト装置５０に送信するように、ダミーデータ送信回路２５を制御する。
【００１７】
電圧検出回路３は、制御回路３０と、下流側通信回路３１と、上流側通信回路３２と、データ送信回路３３と、データ転送回路３４と、ダミーデータ送信回路３５とを備える。下流側通信回路３１は、ホスト装置５０から電圧検出回路１及び２を介してデータを受信する機能と、電圧検出回路２及び１を介してホスト装置５０へデータを送信する機能を備える。上流側通信回路３２は、ホスト装置５０から電圧検出回路１及び２を介して受信したデータを上流側の他の電圧検出回路（図２の構成例では無し）へ転送する機能と、当該他の電圧検出回路からのデータを受信する機能を備える。制御回路３０は、下流側通信回路３１がホスト装置５０から電圧検出回路１及び２を介して受信したデータ読出し命令を含むデータに基づいて、
（１）セルＢ３の電池データを送信するデータ送信回路３３と、
（２）所定のダミーデータを送信するダミーデータ送信回路３５と、
（３）上流側通信回路３２で受信したデータを転送するデータ転送回路３４と
のうちのいずれか１つを選択し、選択した回路からのデータを、下流側通信回路３１から電圧検出回路２及び１を介してホスト装置５０に送信するように下流側通信回路３１を制御する。制御回路３０はまた、下流側通信回路３１及び上流側通信回路３２の通信動作を制御する。なお、電圧検出回路３が最上流の電圧検出回路であるときは、上流側通信回路３２は上流側電圧検出回路からデータを受信しない。
【００１８】
ホスト装置５０から電圧検出回路１及び２を介して受信したデータ読出し命令を含むデータは、各セルＢ１，Ｂ２，Ｂ３のうちのいずれの電池データを読み出すかを示すセル指定データを含み、下流側通信回路３１から上流側通信回路３２を介して他の電圧検出回路に送信される。
（Ａ）前記セル指定データがセルＢ３であるときは、制御回路３０は、セルＢ３の電池データをデータ送信回路３３から下流側通信回路３１並びに電圧検出回路２及び１を介してホスト装置５０に送信するように、データ送信回路３３及び下流側通信回路３１を制御する。
（Ｂ）前記セル指定データが当該電圧検出回路１よりもホスト装置５０から見て遠い上流側のセルであるとき、この場合において、セルＢ１よりも下流側のセルが存在しないので、制御回路３０は、上流側通信回路３２で受信したデータを下流側通信回路３１及び電圧検出回路１，２を介してホスト装置５０に送信するように、データ転送回路３４を制御することはしない。
（Ｃ）前記セル指定データが当該電圧検出回路１よりもホスト装置５０から見て近い下流側のセルＢ１又はＢ２であるときは、制御回路３０は、ダミーデータを発生してホスト装置５０に送信するように、ダミーデータ送信回路３５を制御する。
【００１９】
以上説明したように、本実施形態によれば、
（Ａ）各制御回路１０，２０，３０は、ホスト装置５０から受信したデータ読出し命令を含むデータが自電圧検出回路１，２又は３を対象としている場合（セル指定データが自己のセルＢ１，Ｂ２，Ｂ３を指定する場合）には、対応するデータ送信回路１３，２３，２４を制御して、対応するセルＢ１，Ｂ２又はＢ３の電池データを含むデータをホスト装置５０に送信させる。
（Ｂ）各制御回路１０，２０，３０は、ホスト装置５０から受信したデータ読出し命令を含むデータが自電圧検出回路１，２，３よりホスト装置５０側から遠い上流側電圧検出回路である場合（セル指定データが自己のセルＢ１，Ｂ２，Ｂ３よりも上流側のセルを指定する場合）には、データ転送回路１４，２４，３４を制御して、上流側通信回路１２，２２又は３２で受信したデータを下流側通信回路１１，２１又は３１を介してホスト装置５０に転送するように送信させる。
（Ｃ）各制御回路１０，２０，３０は、ホスト装置５０から受信したデータ読出し命令を含むデータが自電圧検出回路１，２，３よりホスト装置５０側から近い下流側電圧検出回路である場合（セル指定データが自己のセルＢ１，Ｂ２，Ｂ３よりも下流側のセルを指定する場合）には、ダミーデータ送信回路１５，２５，３５を制御して、ダミーデータを発生して下流側通信回路１１，２１又は３１を介してホスト装置５０に送信させる。
【００２０】
本実施形態によれば、いずれの電圧検出回路１，２，３からのデータ読み出し時にも各電圧検出回路１，２，３が、データ送信回路１３，２３，３３と、データ転送回路１４，２４，３４と、ダミーデータ送信回路１５，２５，３５とのうちのいずれか１つの回路を選択して動作させるので、データ通信にかかる消費電流の電圧検出回路１，２，３間の差を低減することができ、各セルＢ１，Ｂ２，Ｂ３のセル電圧により動作する各電圧検出回路１，２，３における消費電流又は消費電力を互いに同一にすることができ、各セル電圧を均一化できる。
【００２１】
以上の実施形態において、上流側通信回路１２，２２，３２は、ホスト装置５０側から受信したデータが自電圧検出回路１，２，３もしくは自電圧検出回路１，２，３よりホスト装置５０に近い電圧検出回路１，２，３を対象としている場合にはデータを受信しない。従って、ダミーデータの送信が下流側電圧検出回路の通信に影響を及ぼすことを防止できる。
【００２２】
図３は図２の組電池システム２００の動作例を示すタイミングチャートである。
【００２３】
図３に示すように、ダミーデータの送信は、通常の電池データにかかるデータの送信に比較して速い通信速度で行うことで、ダミーデータの送信が次のデータの送信に干渉することを防止できる。また、通信速度を速めることが消費電力に影響する場合は、データ送信時と同じ消費電力となるように、ダミーデータの送信時の通信時の消費電流を所定値に設定することで、各電圧検出回路１，２，３における消費電流又は消費電力を互いに同一にすることができる。
【００２４】
例えば、電圧検出回路１，２，３間の基準クロック周波数ばらつき等の影響により、同じ通信速度で送信を行った場合でもその転送時間が電圧検出回路１，２，３間でばらつくことがあり得る。もしダミーデータの送信がデータの送信よりも遅れる場合、次の通信に対して間に合わずダミーデータの送信と干渉し、通信エラーを引き起こす可能性がある。本実施形態では、ダミーデータの送信を通常のデータの送信に比較して、速い通信速度で行うことで上記干渉を防止し、通信エラーを回避することができる。
【００２５】
通信速度が消費電流に影響する方式である場合には、データ送信時と同じ消費電力となるように通信時に消費電流を補正することで、速度変化分の消費電力を補償し、電圧検出回路１，２，３間の消費電力のばらつきを低減することができる
【００２６】
実施形態２
図４は本発明の実施形態２にかかる電圧検出回路１Ａ，２Ａ，３Ａ、電圧測定装置２１０Ａ及び組電池システム２００Ａの構成例を示すブロック図である。
【００２７】
図４において、組電池システム２００Ａは、組電池ＢＡと、電圧測定装置２１０Ａとを備えて構成される。電圧測定装置２１０Ａは、ホスト装置５０と、３個の電圧検出回路１Ａ，２Ａ，３Ａとを備える。従って、電圧測定装置２１０Ａは、図２の電圧測定装置２１０に比較して、３個の電圧検出回路１，２，３に代えて、３個の電圧検出回路１Ａ，２Ａ，３Ａを備えたことを特徴とする。
【００２８】
電圧検出回路１Ａは、図２の電圧検出回路１に比較して、
（１）制御回路１０に代えて、制御回路１０Ａを備え、
（２）ダミーデータ送信回路１５に代えて、ダミー電流回路１６を備えたことを特徴とする。すなわち、制御回路１０Ａは、ダミーデータ送信回路１５が送信動作することに代えて、ダミー電流回路１６を動作させてダミー電流を発生するように制御することで消費電流又は消費電力の均一化に寄与する。
【００２９】
電圧検出回路２Ａは、図２の電圧検出回路２に比較して、
（１）制御回路２０に代えて、制御回路２０Ａを備え、
（２）ダミーデータ送信回路２５に代えて、ダミー電流回路２６を備えたことを特徴とする。すなわち、制御回路２０Ａは、ダミーデータ送信回路２５が送信動作することに代えて、ダミー電流回路２６を動作させてダミー電流を発生するように制御することで消費電流又は消費電力の均一化に寄与する。
【００３０】
電圧検出回路３Ａは、図２の電圧検出回路３に比較して、
（１）制御回路３０に代えて、制御回路３０Ａを備え、
（２）ダミーデータ送信回路３５に代えて、ダミー電流回路３６を備えたことを特徴とする。すなわち、制御回路３０Ａは、ダミーデータ送信回路３５が送信動作することに代えて、ダミー電流回路３６を動作させてダミー電流を発生するように制御することで消費電流又は消費電力の均一化に寄与する。
【００３１】
すなわち、制御回路１０Ａ，２０Ａ，３０Ａは、ダミー電流回路１６，２６，３６に対して、データ送信時と同等の消費電力となるように電流値とオン時間を制御する。
【００３２】
従って、本実施形態によれば、いずれの電圧検出回路１Ａ，２Ａ，３Ａからのデータ読み出し時にも、データ送信しない電圧検出回路１Ａ，２Ａ，３Ａが同等の電流をダミー電流回路１６，２６，３６により消費するため、データ送信での消費電流又は消費電力の回路間差を低減することができ、各セル電圧を均一化できる。
【００３３】
実施形態３
図５は本発明の実施形態３にかかる電圧検出回路１Ｂ，２Ｂ，３Ｂ、電圧測定装置２１０Ｂ及び組電池システム２００Ｂの構成例を示すブロック図である。図５において、組電池システム２００Ｂは、図２の組電池システム２００をより具体化した詳細実施形態であって、図２の組電池システム２００に比較して、電圧検出回路１，２，３に代えてそれぞれ、電圧検出回路１Ｂ，２Ｂ，３Ｂを備えたことを特徴とする。
【００３４】
図５において、組電池システム２００Ｂは、セルＢ１，Ｂ２，Ｂ３を直列に接続して構成された組電池ＢＡと、電圧測定装置２１０Ｂとを備える。電圧測定装置２１０Ｂは、ホスト装置５０と、３個の電圧検出回路１Ｂ，２Ｂ，３Ｂとは、ディジーチェーン接続で例えば有線回線を介して直列に接続されている。
【００３５】
電圧検出回路１Ｂは、図２の電圧検出回路１に比較して以下の点が異なる。
（１）制御回路１０に代えて、制御回路１０Ｂを備えた。
（２）電池データ取得回路１７及び下流側転送回路１８を明記した。
（３）データ送信回路１３に代えて、データ送信回路１３に対応するリプライ信号発生回路１３Ｐを備えた。
（４）データ転送回路１４に代えて、データ転送回路１４に対応する上流側転送回路１４Ｐを備えた。
（５）ダミーデータ送信回路１５に代えて、ダミーデータ送信回路１５に対応するダミーリプライ信号発生回路１５Ｐを備えた。
【００３６】
電圧検出回路２Ｂは、図２の電圧検出回路２に比較して以下の点が異なる。
（１）制御回路２０に代えて、制御回路２０Ｂを備えた。
（２）電池データ取得回路２７及び下流側転送回路２８を明記した。
（３）データ送信回路２３に代えて、データ送信回路２３に対応するリプライ信号発生回路２３Ｐを備えた。
（４）データ転送回路２４に代えて、データ転送回路２４に対応する上流側転送回路２４Ｐを備えた。
（５）ダミーデータ送信回路２５に代えて、ダミーデータ送信回路２５に対応するダミーリプライ信号発生回路２５Ｐを備えた。
【００３７】
電圧検出回路３Ｂは、図２の電圧検出回路３に比較して以下の点が異なる。
（１）制御回路３０に代えて、制御回路３０Ｂを備えた。
（２）電池データ取得回路３７及び下流側転送回路３８を明記した。
（３）データ送信回路３３に代えて、データ送信回路３３に対応するリプライ信号発生回路３３Ｐを備えた。
（４）データ転送回路３４に代えて、データ転送回路３４に対応する上流側転送回路３４Ｐを備えた。
（５）ダミーデータ送信回路３５に代えて、ダミーデータ送信回路３５に対応するダミーリプライ信号発生回路３５Ｐを備えた。
【００３８】
図５において、ホスト装置５０は、セル指定データを含むデータ読出し命令を有する通信コマンドを、電圧検出回路１Ｂ，２Ｂ，３Ｂに送信する。電圧検出回路１Ｂは、ホスト装置５０からの通信コマンド内のセル指定データがセルＢ１であるときは、電圧検出回路１Ｂで取得した電池データを含むリプライ信号をホスト装置５０に返信する。電圧検出回路２Ｂは、ホスト装置５０からの通信コマンド内のセル指定データがセルＢ２であるときは、電圧検出回路２Ｂで取得した電池データを含むリプライ信号を電圧検出回路１Ｂを介してホスト装置５０に返信する。電圧検出回路３Ｂは、ホスト装置５０からの通信コマンド内のセル指定データがセルＢ３であるときは、電圧検出回路３Ｂで取得した電池データを含むリプライ信号を電圧検出回路２Ｂ，１Ｂを介してホスト装置５０に返信する。なお、各電圧検出回路１Ｂ，２Ｂ，３Ｂが自己の電池データを含むリプライ信号の送信、又は他の電圧検出回路からのリプライ信号の転送（上流側転送回路１４Ｐ、２４Ｐ，３４Ｐによる）を行っていないときは、実施形態１と同様に、セル電圧の均一化のために、各ダミーリプライ信号発生回路１５Ｐ，２５Ｐ，３５Ｐはダミーリプライ信号を発生してホスト装置５０に送信する。
【００３９】
以下、図６Ａ〜図６Ｃを参照して、電圧検出回路１Ｂ，２Ｂ，３Ｂの構成について説明する。
【００４０】
図６Ａは図５の電圧検出回路１Ｂの詳細構成例を示すブロック図である。図６Ａにおいて、上流側転送回路１４Ｐは、上流側信号転送回路１４Ａと、下流側信号選択回路１４Ｂとを備えて構成される。ここで、下流側信号選択回路１４Ｂは、
（１）制御回路１０Ｂからリプライ信号要求信号を受信したときは、リプライ信号発生回路１３Ｐからのリプライ信号を選択して下流側通信回路１１に出力し、
（２）制御回路１０Ｂから上流側転送要求信号を受信したときは、上流側信号転送回路１４Ａからの上流側リプライ信号を選択して下流側通信回路１１に出力し、
（３）制御回路１０Ｂからダミーリプライ信号要求信号を受信したときは、ダミーリプライ信号発生回路１５Ｐからのダミーリプライ信号を選択して下流側通信回路１１に出力する。
【００４１】
図６Ａにおいて、電池データ取得回路１７は、セルＢ１のセル電圧を測定して、セル電圧のデータを含む電池データを発生してリプライ信号発生回路１３Ｐに出力する。下流側通信回路１１は、制御回路１０Ｂからの下流側入出力切替信号（入力指示）に基づいて、ホスト装置５０からの通信コマンドを受信して制御回路１０Ｂに出力するとともに、下流側転送回路１８及び上流側通信回路１２を介して電圧検出回路２Ｂに送信する。また、下流側通信回路１１は、制御回路１０Ｂからの下流側入出力切替信号（出力指示）に基づいて、下流側信号選択回路１４Ｂからの信号をホスト装置５０に送信する。上流側通信回路１２は、制御回路１０Ｂからの上流側入出力切替信号（出力指示）に基づいて、ホスト装置５０から下流側通信回路１１及び下流側転送回路１８を介して入力される通信コマンドを電圧検出回路２Ｂに送信する。また、上流側通信回路１２は、制御回路１０Ｂからの上流側入出力切替信号（入力指示）に基づいて、電圧検出回路２Ｂからの上流側リプライ信号を受信した後、当該上流側リプライ信号を、
（１）制御回路１０Ｂからの上流側転送要求信号に基づいて転送動作を行う上流側信号転送回路１４Ａと、
（２）制御回路１０Ｂからの上流側転送要求信号に基づいて選択動作を行う下流側信号選択回路１４Ｂと、
（３）制御回路１０Ｂからの下流側入出力切替信号（出力指示）に基づいて送信動作を行う下流側通信回路１１と
を介してホスト装置５０に送信する。
【００４２】
（Ａ）制御回路１０Ｂは、ホスト装置５０からの通信コマンドの待ち状態では、下流側通信回路１１に対して下流側入出力切替信号（入力指示）を出力し、上流側通信回路１２に対して上流側入出力切替信号（出力指示）を出力する。そして、制御回路１０Ｂは、ホスト装置５０から通信コマンドを受信したときは、下流側通信回路１１に対して下流側入出力切替信号（出力指示）を出力し、上流側通信回路１２に対して上流側入出力切替信号（入力指示）を出力して、以下のように制御した後、ホスト装置５０からの通信コマンドの待ち状態に戻る。
（Ｂ）制御回路１０Ｂは下流側通信回路１１で受信された通信コマンド内のデータ読出し命令に自己のセルＢ１が指定されているとき、リプライ信号要求信号をリプライ信号発生回路１３Ｐ及び下流側信号選択回路１４Ｂに出力する。このとき、リプライ信号発生回路１３ＰはセルＢ１のセル電圧に関する電池データを含むリプライ信号を発生して、下流側信号選択回路１４Ｂ及び下流側通信回路１１を介してホスト装置５０に送信する。
（Ｃ）制御回路１０Ｂは下流側通信回路１１で受信された通信コマンド内のデータ読出し命令に、電圧検出回路１Ｂよりも上流の電圧検出回路２Ｂ，３ＢのセルＢ２，Ｂ３が指定されているとき、上流側転送要求信号を上流側信号転送回路１４Ａ及び下流側信号選択回路１４Ｂに出力する。このとき、上流側通信回路１２は、受信した上流側リプライ信号は、上流側信号転送回路１４Ａ、下流側信号選択回路１４Ｂ及び下流側通信回路１１を介してホスト装置５０に送信する。
（Ｄ）制御回路１０Ｂは下流側通信回路１１で受信された通信コマンド内のデータ読出し命令に、電圧検出回路１Ｂよりも下流の電圧検出回路のセルが指定されているとき、ダミーリプライ信号要求信号をダミーリプライ信号発生回路１５Ｐ及び下流側信号選択回路１４Ｂに出力する。このとき、ダミーリプライ信号発生回路１５Ｐは、所定のダミーリプライ信号を発生して下流側信号選択回路１４Ｂ及び下流側通信回路１１を介してホスト装置５０に送信する。なお、電圧検出回路１Ｂの場合は、下流の電圧検出回路及び下流のセルが存在しないために、この動作は存在しない。
【００４３】
図６Ｂは図５の電圧検出回路２Ｂの詳細構成例を示すブロック図である。図６Ｂにおいて、上流側転送回路２４Ｐは、上流側信号転送回路２４Ａと、下流側信号選択回路２４Ｂとを備えて構成される。ここで、下流側信号選択回路３４Ｂは、
（１）制御回路２０Ｂからリプライ信号要求信号を受信したときは、リプライ信号発生回路２３Ｐからのリプライ信号を選択して下流側通信回路２１に出力し、
（２）制御回路２０Ｂから上流側転送要求信号を受信したときは、上流側信号転送回路２４Ａからの上流側リプライ信号を選択して下流側通信回路２１に出力し、
（３）制御回路２０Ｂからダミーリプライ信号要求信号を受信したときは、ダミーリプライ信号発生回路２５Ｐからのダミーリプライ信号を選択して下流側通信回路２１に出力する。
【００４４】
図６Ｂにおいて、電池データ取得回路２７は、セルＢ２のセル電圧を測定して、セル電圧のデータを含む電池データを発生してリプライ信号発生回路２３Ｐに出力する。電圧検出回路２Ｂの各回路２１〜２５Ｐは、図６Ａの各回路１１〜１５Ｐと同様に動作する。
【００４５】
図６Ｃは図５の電圧検出回路３Ｂの詳細構成例を示すブロック図である。図６Ｃにおいて、上流側転送回路３４Ｐは、上流側信号転送回路３４Ａと、下流側信号選択回路３４Ｂとを備えて構成される。ここで、下流側信号選択回路３４Ｂは、
（１）制御回路３０Ｂからリプライ信号要求信号を受信したときは、リプライ信号発生回路３３Ｐからのリプライ信号を選択して下流側通信回路３１に出力し、
（２）制御回路３０Ｂから上流側転送要求信号を受信したときは、上流側信号転送回路３４Ａからの上流側リプライ信号を選択して下流側通信回路３１に出力し、
（３）制御回路３０Ｂからダミーリプライ信号要求信号を受信したときは、ダミーリプライ信号発生回路３５Ｐからのダミーリプライ信号を選択して下流側通信回路３１に出力する。
【００４６】
図６Ｃにおいて、電池データ取得回路３７は、セルＢ３のセル電圧を測定して、セル電圧のデータを含む電池データを発生してリプライ信号発生回路３３Ｐに出力する。電圧検出回路３Ｂの各回路３１〜３５Ｐは、図６Ａの各回路１１〜１５Ｐと同様に動作する。
【００４７】
図７は図５の組電池システム２００Ｂの動作例を示すタイミングチャートである。図７を参照して、電圧検出回路１Ｂと電圧検出回路３Ｂとの間に設けられた電圧検出回路２Ｂの動作について以下に説明する。
【００４８】
図７において、電圧検出回路２Ｂの制御回路２０Ｂは、ホスト装置５０から電圧検出回路２Ｂへの通信コマンド（セルＢ２指定）を受信すると、下流側入出力切替信号（出力指示）を下流側通信回路２１に出力し、下流側通信回路２１は入力モードから出力モードに切り替えられる。また、制御回路２０Ｂは、リプライ信号要求信号をリプライ信号発生回路２３Ｐ及び下流側信号選択回路２４Ｂに出力することで、ＡＣＫ（Acknowledgement）信号に続いて、セルＢ２に関する電池データを含むリプライ信号を、リプライ信号発生回路２３Ｐから下流側信号選択回路２４Ｂ及び下流側通信回路２１、並びに電圧検出回路１Ｂを介してホスト装置５０に送信する。当該リプライ信号の送信後、下流側通信回路２１は、制御回路２０Ｂからの下流側入出力切替信号（入力指示）に基づいて、出力モードから入力モードに切り替えられる。
【００４９】
次いで、電圧検出回路２Ｂの制御回路２０Ｂは、ホスト装置５０から、当該電圧検出回路２よりも下流側電圧検出回路１Ｂへの通信コマンド（セルＢ１指定）を受信すると、下流側入出力切替信号（出力指示）を下流側通信回路２１に出力し、下流側通信回路２１は入力モードから出力モードに切り替えられる。また、制御回路２０Ｂは、ダミーリプライ信号要求信号をダミーリプライ信号発生回路２５Ｐ及び下流側信号選択回路２４Ｂに出力することで、ダミーリプライ信号を、ダミーリプライ信号発生回路２５Ｐから下流側信号選択回路２４Ｂ及び下流側通信回路２１、並びに電圧検出回路１Ｂを介してホスト装置５０に送信する。当該リプライ信号の送信後、下流側通信回路２１は、制御回路２０Ｂからの下流側入出力切替信号（入力指示）に基づいて、出力モードから入力モードに切り替えられる。
【００５０】
さらに、電圧検出回路２Ｂの制御回路２０Ｂは、ホスト装置５０から、当該電圧検出回路２よりも上流側電圧検出回路３Ｂへの通信コマンド（セルＢ３指定）を受信すると、下流側入出力切替信号（出力指示）を下流側通信回路２１に出力し、下流側通信回路２１は入力モードから出力モードに切り替えられる。また、制御回路２０Ｂは、上流側転送要求信号を上流側信号転送回路２４Ａ及び下流側信号選択回路２４Ｂに出力することで、上流側通信回路２２により受信された上流側リプライ信号を、上流側信号転送回路２４Ａから下流側信号選択回路２４Ｂ及び下流側通信回路２１、並びに電圧検出回路１Ｂを介してホスト装置５０に送信する。当該上流側リプライ信号の送信後、下流側通信回路２１は、制御回路２０Ｂからの下流側入出力切替信号（入力指示）に基づいて、出力モードから入力モードに切り替えられる。
【００５１】
以上説明したように、本実施形態によれば、いずれの電圧検出回路１Ｂ，２Ｂ，３Ｂからの電池データ読み出し時にも各電圧検出回路１Ｂ，２Ｂ，３Ｂが、リプライ信号発生回路１３Ｐ，２３Ｐ，３３Ｐと、上流側転送回路１４Ｐ，２４Ｐ，３４Ｐと、ダミーリプライ信号発生回路１５Ｐ，２５Ｐ，３５Ｐとのうちのいずれか１つの回路を選択して動作させるので、データ通信にかかる消費電流の電圧検出回路１Ｂ，２Ｂ，３Ｂ間の差を低減することができ、各セルＢ１，Ｂ２，Ｂ３のセル電圧により動作する各電圧検出回路１Ｂ，２Ｂ，３Ｂにおける消費電流又は消費電力を互いに同一にすることができ、各セル電圧を均一化できる。
【００５２】
実施形態３において、ダミーリプライ信号発生回路１５Ｐにより発生されるダミーリプライ信号の通信速度は、例えば、リプライ信号発生回路１３Ｐにより発生されるリプライ信号の通信速度よりも速いように設定される。これにより、図３を参照して説明したように、リプライ信号に続いて送信される、ホスト装置５０からの通信コマンドとそれに対する応答信号に干渉することを防止できる。
【００５３】
なお、実施形態３において、複数のセルのうち最上流のセルのセル電圧を検出する電圧検出回路３Ｂの上流側通信回路３２は、上流側の電圧検出回路が存在せず、当該上流側の電圧検出回路からのダミーリプライ信号を受信しない。
【００５４】
実施形態３において、電池データ取得回路１７，２７，３７はそれぞれ、セルＢ１，B２，Ｂ３のセル電圧を測定して、セル電圧のデータを含む電池データを発生してリプライ信号発生回路１３Ｐ，２３Ｐ，３３Ｐに出力する。また、リプライ信号発生回路１３Ｐ，２３Ｐ，３３Ｐはそれぞれ、セルＢ１，Ｂ２，Ｂ３に関する電池データを含むリプライ信号を発生して送信する。しかし、前記電池データは、本発明はこれに限定されず、セル電圧のデータを含む電池データに代えて又はそれにさらに含み、ＩＣ等で構成される電圧検出回路１Ｂ，２Ｂ，３Ｂの内部の異常検出データ又は異常検出電圧、動作制御設定値等のレジスタに格納されたデータ等を含んでもよい。これについては、以下の実施形態においても同様である。
【００５５】
実施形態４
図８は本発明の実施形態４にかかる電圧検出回路１Ｃ，２Ｃ，３Ｃ、電圧測定装置２１０Ｃ及び組電池システム２００Ｃの構成例を示すブロック図である。図８において、組電池システム２００Ｃは、図４の組電池システム２００Ａをより具体化した詳細実施形態であって、図４の組電池システム２００Ａに比較して、電圧検出回路１Ａ，２Ａ，３Ａに代えてそれぞれ、電圧検出回路１Ｃ，２Ｃ，３Ｃを備えたことを特徴とする。
【００５６】
図８において、組電池システム２００Ｃは、セルＢ１，Ｂ２，Ｂ３を直列に接続して構成された組電池ＢＡと、電圧測定装置２１０Ｃとを備える。電圧測定装置２１０Ｃは、ホスト装置５０と、３個の電圧検出回路１Ｃ，２Ｃ，３Ｃとは、ディジーチェーン接続で例えば有線回線を介して直列に接続されている。
【００５７】
図９Ａは図８の電圧検出回路１Ｃの詳細構成例を示すブロック図である。また、図９Ｂは図８の電圧検出回路２Ｃの詳細構成例を示すブロック図である。さらに、図９Ｃは図８の電圧検出回路３Ｃの詳細構成例を示すブロック図である。
【００５８】
図９Ａの電圧検出回路１Ｃは、図５の電圧検出回路１Ｂに比較して、
（１）ダミーリプライ信号発生回路１５Ｐに代えて、ダミー電流発生回路１６Ｐを備え、
（２）制御回路１０Ｂに代えて、制御回路１０Ｃを備えたことを特徴とする。
ダミー電流発生回路１６Ｐは、制御回路１０Ｂからのダミー電流発生要求信号に基づいて、所定のダミー電流を発生する。なお、ダミー電流発生要求信号は制御回路１０Ｂからダミー電流発生回路１６Ｐのみに出力される。
【００５９】
図９Ｂの電圧検出回路２Ｃは、図５の電圧検出回路２Ｂに比較して、
（１）ダミーリプライ信号発生回路２５Ｐに代えて、ダミー電流発生回路２６Ｐを備え、
（２）制御回路２０Ｂに代えて、制御回路２０Ｃを備えたことを特徴とする。
ダミー電流発生回路２６Ｐは、制御回路２０Ｂからのダミー電流発生要求信号に基づいて、所定のダミー電流を発生する。なお、ダミー電流発生要求信号は制御回路２０Ｂからダミー電流発生回路２６Ｐのみに出力される。
【００６０】
図９Ｃの電圧検出回路３Ｃは、図５の電圧検出回路１Ｂに比較して、
（１）ダミーリプライ信号発生回路３５Ｐに代えて、ダミー電流発生回路３６Ｐを備え、
（２）制御回路３０Ｂに代えて、制御回路３０Ｃを備えたことを特徴とする。
ダミー電流発生回路３６Ｐは、制御回路３０Ｂからのダミー電流発生要求信号に基づいて、所定のダミー電流を発生する。なお、ダミー電流発生要求信号は制御回路３０Ｂからダミー電流発生回路３６Ｐのみに出力される。
【００６１】
図１０は図８の組電池システム２００Ｃの動作例を示すタイミングチャートである。図１０を参照して、電圧検出回路１Ｃと電圧検出回路３Ｃとの間に設けられた電圧検出回路２Ｃの動作について以下に説明する。
【００６２】
図１０において、電圧検出回路２Ｃの制御回路２０Ｃは、ホスト装置５０から電圧検出回路２Ｃへの通信コマンド（セルＢ２指定）を受信すると、下流側入出力切替信号（出力指示）を下流側通信回路２１に出力し、下流側通信回路２１は入力モードから出力モードに切り替えられる。また、制御回路２０Ｃは、リプライ信号要求信号をリプライ信号発生回路２３Ｐ及び下流側信号選択回路２４Ｂに出力することで、ＡＣＫ信号に続いて、セルＢ２に関する電池データを含むリプライ信号を、リプライ信号発生回路２３Ｐから下流側信号選択回路２４Ｂ及び下流側通信回路２１、並びに電圧検出回路１Ｃを介してホスト装置５０に送信する。当該リプライ信号の送信後、下流側通信回路２１は、制御回路２０Ｃからの下流側入出力切替信号（入力指示）に基づいて、出力モードから入力モードに切り替えられる。
【００６３】
次いで、電圧検出回路２Ｃの制御回路２０Ｃは、ホスト装置５０から、当該電圧検出回路２よりも下流側電圧検出回路１Ｃへの通信コマンド（セルＢ１指定）を受信すると、制御回路２０Ｃは、ダミー電流発生要求信号をダミー電流発生回路２６Ｐに出力することで、所定のダミー電流を発生させる。
【００６４】
さらに、電圧検出回路２Ｃの制御回路２０Ｃは、ホスト装置５０から、当該電圧検出回路２よりも上流側電圧検出回路３Ｃへの通信コマンド（セルＢ３指定）を受信すると、下流側入出力切替信号（出力指示）を下流側通信回路２１に出力し、下流側通信回路２１は入力モードから出力モードに切り替えられる。また、制御回路２０Ｃは、上流側転送要求信号を上流側信号転送回路２４Ａ及び下流側信号選択回路２４Ｂに出力することで、上流側通信回路２２により受信された上流側リプライ信号を、上流側信号転送回路２４Ａから下流側信号選択回路２４Ｂ及び下流側通信回路２１、並びに電圧検出回路１Ｃを介してホスト装置５０に送信する。当該上流側リプライ信号の送信後、下流側通信回路２１は、制御回路２０Ｃからの下流側入出力切替信号（入力指示）に基づいて、出力モードから入力モードに切り替えられる。
【００６５】
以上説明したように、本実施形態によれば、いずれの電圧検出回路１Ｃ，２Ｃ，３Ｃからの電池データ読み出し時にも各電圧検出回路１Ｃ，２Ｃ，３Ｃが、リプライ信号発生回路１３Ｐ，２３Ｐ，３３Ｐと、上流側転送回路１４Ｐ，２４Ｐ，３４Ｐと、ダミー電流発生回路１６Ｐ，２６Ｐ，３６Ｐとのうちのいずれか１つの回路を選択して動作させるので、データ通信にかかる消費電流の電圧検出回路１Ｃ，２Ｃ，３Ｃ間の差を低減することができ、各セルＢ１，Ｂ２，Ｂ３のセル電圧により動作する各電圧検出回路１Ｃ，２Ｃ，３Ｃにおける消費電流又は消費電力を互いに同一にすることができ、各セル電圧を均一化できる。
【００６６】
なお、実施形態３にかかるダミーリプライ信号発生回路１５Ｐ，２５Ｐ，３５Ｐはダミーリプライ信号を発生することで所定のダミー電流を消費し、実施形態４にかかるダミー電流発生回路１６Ｐ，２６Ｐ，３６Ｐはダミー電流を発生することで所定のダミー電流を消費する。従って、ダミーリプライ信号発生回路１５Ｐ，２５Ｐ，３５Ｐと、ダミー電流発生回路１６Ｐ，２６Ｐ，３６Ｐはともにダミー電流消費回路といえる。ここで、例えば、上流側転送回路１４Ｐ，２４Ｐ，３４Ｐの消費電力と、リプライ信号発生回路１３Ｐ，２３Ｐ，３３Ｐの消費電力と、ダミーリプライ信号発生回路１５Ｐ，２５Ｐ，３５Ｐの消費電力と、ダミー電流発生回路１６Ｐ，２６Ｐ，３６Ｐの消費電力とは互いに同一である。
【００６７】
変形例１
図１１Ａ〜図１１Ｃは、変形例１にかかる、上流側電圧検出回路４Ａと、下流側電圧検出回路４Ｂとの間（実施形態１〜４の電圧検出回路（１，２，３）（１Ａ，２Ａ，３Ａ）（１Ｂ，２Ｂ，３Ｂ）（１Ｃ，２Ｃ，３Ｃ）のうちの隣接する２つの電圧検出回路間に対応する）の通信線の方式例を示すブロック図である。各電圧検出回路間のディジーチェーン接続の通信方式の構成例を図１１Ａ〜図１１Ｃに示す。
（１）図１１Ａ：直結方式であって、信号を通信ケーブルにより直結して通信する。
（２）図１１Ｂ：トランス方式であって、信号をトランス素子ＴＲ１，ＴＲ２で伝達する絶縁通信を行う。
（３）図１１Ｃ：容量方式であって、信号をキャパシタＣ１，Ｃ２の容量素子で伝達する絶縁通信を行う。
【００６８】
変形例２
変形例２の態様１〜８にかかる電圧検出回路、変形例２の態様９〜１６にかかる電圧測定装置、並びに、変形例２の態様１７〜２４にかかる組電池システムの要旨について以下に説明する。
【００６９】
態様１にかかる電圧検出回路は、複数のセルを直列に接続して構成される組電池を対象としてセル電圧を測定する電圧検出回路であって、
ホスト装置側からの通信を受信する機能とホスト装置側へ通信を送信する機能を備える下流側通信回路と、
ホスト装置側からの通信を他の電圧検出回路へ転送する機能と他の電圧検出回路からの通信を受信する機能を備える上流側通信回路と、
前記下流側通信回路がホスト装置側から受信した通信によって、データ送信回路と、ダミーデータ送信回路と、上流側通信回路から受信したデータの転送回路の３つを選択的に切り替え、かつ前記下流側通信回路と前記上流側通信回路を制御する制御回路とを備えることを特徴とする。
【００７０】
態様２にかかる電圧検出回路は、態様１にかかる電圧検出回路において、
前記制御回路は、ホスト装置側から受信した通信が自電圧検出回路を対象としている場合にはデータ送信回路を選択し、
ホスト装置側から受信した通信の対象が自電圧検出回路よりホスト装置側に近い電圧検出回路である場合はダミーデータ送信回路を選択し、
ホスト装置側から受信した通信の対象が自電圧検出回路よりホスト装置側から遠い電圧検出回路である場合は前記上流側通信回路から受信したデータの転送回路を選択することを特徴とする。
【００７１】
態様３にかかる電圧検出回路は、態様１にかかる電圧検出回路において、
前記上流側通信回路は、ホスト装置側から受信した通信が自電圧検出回路もしくは自電圧検出回路よりホスト装置側に近い電圧検出回路を対象としている場合にはデータを受信しないことを特徴とする。
【００７２】
態様４にかかる電圧検出回路は、態様１〜３のうちのいずれかにかかる電圧検出回路において、
前記ダミーデータ送信回路が、前記データ送信回路より速い通信速度で行うことを特徴とする。
【００７３】
態様５にかかる電圧検出回路は、態様４にかかる電圧検出回路において、
前記ダミーデータ送信回路が、前記データ送信回路と同じ消費電力となるよう通信時の消費電流を設定することを特徴とする。
【００７４】
態様６にかかる電圧検出回路は、複数のセルを直列に接続して構成される組電池を対象としてセル電圧を測定する電圧検出回路であって、
ホスト装置側からの通信を受信する機能とホスト装置側へ通信を送信する機能を備える下流側通信回路と、
ホスト装置側からの通信を他の電圧検出回路へ転送する機能と他の電圧検出回路からの通信を受信する機能を備える上流側通信回路を備え、
前記下流側通信回路がホスト装置側から受信した通信によって、データ送信回路と、ダミー電流回路と、上流側通信回路から受信したデータの転送回路の３つを選択的に切り替え、かつ前記下流側通信回路と前記上流側通信回路を制御する制御回路を備えることを特徴とする。
【００７５】
態様７にかかる電圧検出回路は、態様６にかかる電圧検出回路において、
前記制御回路は、ホスト装置側から受信した通信が自電圧検出回路を対象としている場合にはデータ送信回路を選択し、
ホスト装置側から受信した通信の対象が自電圧検出回路よりホスト装置側に近い電圧検出回路である場合はダミー電流回路をオンさせ、
ホスト装置側から受信した通信の対象が自電圧検出回路よりホスト装置側から遠い電圧検出回路である場合は前記上流側通信回路から受信したデータの転送回路を選択することを特徴とする。
【００７６】
態様８にかかる電圧検出回路は、態様６又は７にかかる電圧検出回路において、
前記ダミー電流回路が、前記データ送信回路と同じ消費電力となるよう電流値を設定することを特徴とする。
【００７７】
態様９にかかる電圧測定装置は、複数の電圧検出回路と、ホスト装置とを備え、複数のセルを直列に接続して構成される組電池を対象としてセル電圧を測定する電圧測定装置であって、
前記電圧測定装置は前記複数の電圧検出回路をディジーチェーン接続することにより構成され、
前記各電圧検出回路は、複数のセルを直列に接続して構成される組電池を対象としてセル電圧を測定し、
前記各電圧検出回路は、
ホスト装置側からの通信を受信する機能とホスト装置側へ通信を送信する機能を備える下流側通信回路と、
ホスト装置側からの通信を他の電圧検出回路へ転送する機能と他の電圧検出回路からの通信を受信する機能を備える上流側通信回路と、
前記下流側通信回路がホスト装置側から受信した通信によって、データ送信回路と、ダミーデータ送信回路と、上流側通信回路から受信したデータの転送回路の３つを選択的に切り替え、かつ前記下流側通信回路と前記上流側通信回路を制御する制御回路とを備えることを特徴とする。
【００７８】
態様１０にかかる電圧測定装置は、態様９にかかる電圧測定装置において、
前記制御回路は、ホスト装置側から受信した通信が自電圧検出回路を対象としている場合にはデータ送信回路を選択し、
ホスト装置側から受信した通信の対象が自電圧検出回路よりホスト装置側に近い電圧検出回路である場合はダミーデータ送信回路を選択し、
ホスト装置側から受信した通信の対象が自電圧検出回路よりホスト装置側から遠い電圧検出回路である場合は前記上流側通信回路から受信したデータの転送回路を選択することを特徴とする。
【００７９】
態様１１にかかる電圧測定装置は、態様９又は１０にかかる電圧測定装置において、
前記上流側通信回路は、ホスト装置側から受信した通信が自電圧検出回路もしくは自電圧検出回路よりホスト装置側に近い電圧検出回路を対象としている場合にはデータを受信しないことを特徴とする。
【００８０】
態様１２にかかる電圧測定装置は、態様９〜１１のうちのいずれか１つにかかる電圧測定装置において、
前記ダミーデータ送信回路が、前記データ送信回路より速い通信速度で行うことを特徴とする。
【００８１】
態様１３にかかる電圧測定装置は、態様１２にかかる電圧測定装置において、
前記ダミーデータ送信回路が、前記データ送信回路と同じ消費電力となるよう通信時の消費電流を設定することを特徴とする。
【００８２】
態様１４にかかる電圧測定装置は、複数の電圧検出回路と、ホスト装置とを備え、複数のセルを直列に接続して構成される組電池を対象としてセル電圧を測定する電圧測定装置であって、
前記電圧測定装置は前記複数の電圧検出回路をディジーチェーン接続することにより構成され、
前記各電圧検出回路は、複数のセルを直列に接続して構成される組電池を対象としてセル電圧を測定し、
前記各電圧検出回路は、
ホスト装置側からの通信を受信する機能とホスト装置側へ通信を送信する機能を備える下流側通信回路と、
ホスト装置側からの通信を他の電圧検出回路へ転送する機能と他の電圧検出回路からの通信を受信する機能を備える上流側通信回路を備え、
前記下流側通信回路がホスト装置側から受信した通信によって、データ送信回路と、ダミー電流回路と、上流側通信回路から受信したデータの転送回路の３つを選択的に切り替え、かつ前記下流側通信回路と前記上流側通信回路を制御する制御回路を備えることを特徴とする。
【００８３】
態様１５にかかる電圧測定装置は、態様１４にかかる電圧測定装置において、
前記制御回路は、ホスト装置側から受信した通信が自電圧検出回路を対象としている場合にはデータ送信回路を選択し、
ホスト装置側から受信した通信の対象が自電圧検出回路よりホスト装置側に近い電圧検出回路である場合はダミー電流回路をオンさせ、
ホスト装置側から受信した通信の対象が自電圧検出回路よりホスト装置側から遠い電圧検出回路である場合は前記上流側通信回路から受信したデータの転送回路を選択することを特徴とする。
【００８４】
態様１６にかかる電圧測定装置は、態様１４又は１５にかかる電圧測定装置において、
前記ダミー電流回路が、前記データ送信回路と同じ消費電力となるよう電流値を設定することを特徴とする。
【００８５】
態様１７にかかる組電池システムは、複数の電圧検出回路及びホスト装置を含む電圧測定装置と、組電池とを備え、複数のセルを直列に接続して構成される前記組電池を対象としてセル電圧を測定する組電池システムであって、
前記電圧測定装置は前記複数の電圧検出回路をディジーチェーン接続することにより構成され、
前記各電圧検出回路は、複数のセルを直列に接続して構成される組電池を対象としてセル電圧を測定し、
前記各電圧検出回路は、
ホスト装置側からの通信を受信する機能とホスト装置側へ通信を送信する機能を備える下流側通信回路と、
ホスト装置側からの通信を他の電圧検出回路へ転送する機能と他の電圧検出回路からの通信を受信する機能を備える上流側通信回路と、
前記下流側通信回路がホスト装置側から受信した通信によって、データ送信回路と、ダミーデータ送信回路と、上流側通信回路から受信したデータの転送回路の３つを選択的に切り替え、かつ前記下流側通信回路と前記上流側通信回路を制御する制御回路とを備えることを特徴とする。
【００８６】
態様１８にかかる組電池システムは、態様１７にかかる組電池システムにおいて、
前記制御回路は、ホスト装置側から受信した通信が自電圧検出回路を対象としている場合にはデータ送信回路を選択し、
ホスト装置側から受信した通信の対象が自電圧検出回路よりホスト装置側に近い電圧検出回路である場合はダミーデータ送信回路を選択し、
ホスト装置側から受信した通信の対象が自電圧検出回路よりホスト装置側から遠い電圧検出回路である場合は前記上流側通信回路から受信したデータの転送回路を選択することを特徴とする。
【００８７】
態様１９にかかる組電池システムは、態様１７又は１８にかかる組電池システムにおいて、
前記上流側通信回路は、ホスト装置側から受信した通信が自電圧検出回路もしくは自電圧検出回路よりホスト装置側に近い電圧検出回路を対象としている場合にはデータを受信しないことを特徴とする。
【００８８】
態様２０にかかる組電池システムは、態様１７〜１９のうちのいずれか１つにかかる組電池システムにおいて、
前記ダミーデータ送信回路が、前記データ送信回路より速い通信速度で行うことを特徴とする。
【００８９】
態様２１にかかる組電池システムは、態様２０にかかる組電池システムにおいて、
前記ダミーデータ送信回路が、前記データ送信回路と同じ消費電力となるよう通信時の消費電流を設定することを特徴とする。
【００９０】
態様２２にかかる組電池システムは、複数の電圧検出回路及びホスト装置を含む電圧測定装置と、組電池とを備え、複数のセルを直列に接続して構成される前記組電池を対象としてセル電圧を測定する組電池システムであって、
前記電圧測定装置は前記複数の電圧検出回路をディジーチェーン接続することにより構成され、
前記各電圧検出回路は、複数のセルを直列に接続して構成される組電池を対象としてセル電圧を測定し、
前記各電圧検出回路は、
ホスト装置側からの通信を受信する機能とホスト装置側へ通信を送信する機能を備える下流側通信回路と、
ホスト装置側からの通信を他の電圧検出回路へ転送する機能と他の電圧検出回路からの通信を受信する機能を備える上流側通信回路を備え、
前記下流側通信回路がホスト装置側から受信した通信によって、データ送信回路と、ダミー電流回路と、上流側通信回路から受信したデータの転送回路の３つを選択的に切り替え、かつ前記下流側通信回路と前記上流側通信回路を制御する制御回路を備えることを特徴とする。
【００９１】
態様２３にかかる組電池システムは、態様２２にかかる組電池システムにおいて、
前記制御回路は、ホスト装置側から受信した通信が自電圧検出回路を対象としている場合にはデータ送信回路を選択し、
ホスト装置側から受信した通信の対象が自電圧検出回路よりホスト装置側に近い電圧検出回路である場合はダミー電流回路をオンさせ、
ホスト装置側から受信した通信の対象が自電圧検出回路よりホスト装置側から遠い電圧検出回路である場合は前記上流側通信回路から受信したデータの転送回路を選択することを特徴とする。
【００９２】
態様２４にかかる組電池システムは、態様２２又は２３にかかる組電池システムにおいて、
前記ダミー電流回路が、前記データ送信回路と同じ消費電力となるよう電流値を設定することを特徴とする。
【符号の説明】
【００９３】
１，２，３，１Ａ，２Ａ，３Ａ、１Ｂ，２Ｂ，３Ｂ，１Ｃ，２Ｃ，３Ｃ，４Ａ，４Ｂ  電圧検出回路、
１０，２０，３０，１０Ａ，２０Ａ，３０Ａ，１０Ｂ，２０Ｂ，３０Ｂ，１０Ｃ，２０Ｃ，３０Ｃ  制御回路、
１１，２１，３１  下流側通信回路、
１２，２２，３２  上流側通信回路、
１３，２３，３３  データ送信回路、
１３Ｐ，２３Ｐ，３３Ｐ  リプライ信号発生回路、
１４，２４，３４  データ転送回路、
１４Ｐ，２４Ｐ，３４Ｐ  上流側転送回路、
１５，２５，３５  ダミーデータ送信回路、
１５Ｐ，２５Ｐ，３５Ｐ  ダミーリプライ信号発生回路、
１６，２６，３６  ダミー電流回路、
１６Ｐ，２６Ｐ，３６Ｐ  ダミー電流発生回路、
１７，２７，３７  電池データ取得回路、
１８，２８，３８  下流側転送回路、
５０，１００，１００Ａ  ホスト装置、
１０１，１０２，１０３  電圧検出回路、
２００，２００Ａ，２００Ｂ，２００Ｃ  組電池システム、
２１０，２１０Ａ，２１０Ｂ，２１０Ｃ  電圧測定装置、
Ｂ１，Ｂ２，Ｂ３  電池セル（セル）、
ＢＡ  組電池、
Ｃ１，Ｃ２  キャパシタ、
ＴＲ１，ＴＲ２  トランス。
【図１Ａ】
2019044854.tif 000003
【図１Ｂ】
2019044854.tif 000004
【図２】
2019044854.tif 000005
【図３】
2019044854.tif 000006
【図４】
2019044854.tif 000007
【図５】
2019044854.tif 000008
【図６Ａ】
2019044854.tif 000009
【図６Ｂ】
2019044854.tif 000010
【図６Ｃ】
2019044854.tif 000011
【図７】
2019044854.tif 000012
【図８】
2019044854.tif 000013
【図９Ａ】
2019044854.tif 000014
【図９Ｂ】
2019044854.tif 000015
【図９Ｃ】
2019044854.tif 000016
【図１０】
2019044854.tif 000017
【図１１Ａ】
2019044854.tif 000018
【図１１Ｂ】
2019044854.tif 000019
【図１１Ｃ】
2019044854.tif 000020
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
複数のセルを直列に接続して構成される組電池の各セル電圧を測定する電圧検出回路であって、
前記電圧検出回路を第１の電圧検出回路とし、
前記電圧検出回路は、
前記第１の電圧検出回路により検出されたデータを含むリプライ信号を発生するリプライ信号発生回路と、
上流側通信回路により受信された信号を下流側に転送する上流側転送回路と、
所定のダミー電流を消費するダミー電流消費回路と、
通信コマンドの信号に基づいて、前記リプライ信号発生回路と、前記上流側転送回路と、前記ダミー電流消費回路とのうちのいずれか１つを選択的に動作させるように制御する制御回路と
を備えることを特徴とする電圧検出回路。
【請求項２】
前記上流側通信回路は、前記第１の電圧検出回路よりも上流側に設けられた第３の電圧検出回路と通信を行うことを特徴とする請求項１記載の電圧検出回路。
【請求項３】
前記電圧検出回路は、更に、互いに直列に接続された複数の電圧検出回路と通信を行うホスト装置と、もしくは前記第１の電圧検出回路よりも下流側に設けられた第２の電圧検出回路を介して前記ホスト装置と、通信を行う下流側通信回路を備えることを特徴とする請求項１又は２記載の電圧検出回路。
【請求項４】
前記通信コマンドの信号は、前記ホスト装置から受信することを特徴とする請求項３記載の電圧検出回路。
【請求項５】
前記制御回路は、前記通信コマンドの信号が、前記第１の電圧検出回路により検出されたデータを要求することを示すとき、前記リプライ信号発生回路を選択して動作させることを特徴とする請求項１〜４のうちのいずれか１つに記載の電圧検出回路。
【請求項６】
前記制御回路は、前記通信コマンドの信号が、前記第３の電圧検出回路により検出されたデータを要求することを示すとき、前記上流側転送回路を選択して動作させることを特徴とする、請求項２と、請求項２に従属する請求項３及び４とのうちのいずれか１つに記載の電圧検出回路。
【請求項７】
前記制御回路は、前記通信コマンドの信号が、前記第２の電圧検出回路により検出されたデータを要求することを示すとき、前記ダミー電流消費回路を選択して動作させるように制御する
ことを特徴とする請求項３又は４に記載の電圧検出回路。
【請求項８】
前記ダミー電流消費回路は、前記リプライ信号発生回路によるリプライ信号の送信における消費電力と同一の消費電力を消費してダミーリプライ信号を発生するダミーリプライ信号発生回路であることを特徴とする請求項１〜７のうちのいずれか１つに記載の電圧検出回路。
【請求項９】
前記ダミーリプライ信号発生回路は、前記リプライ信号発生回路の通信速度より速い通信速度でダミーリプライ信号を送信することを特徴とする請求項８記載の電圧検出回路。
【請求項１０】
前記ダミー電流消費回路は、前記リプライ信号発生回路によるリプライ信号の送信における消費電力と同一の消費電力を消費してダミー電流を発生するダミー電流発生回路であることを特徴とする請求項１〜９のうちのいずれか１つに記載の電圧検出回路。
【請求項１１】
前記上流側転送回路の消費電力と、前記リプライ信号発生回路の消費電力と、前記ダミー電流消費回路の消費電力とは互いに同一であることを特徴とする請求項１〜１０のうちのいずれか１つに記載の電圧検出回路。
【請求項１２】
前記複数のセルのうち最上流のセルのセル電圧を検出する電圧検出回路の前記上流側通信回路は、上流側の電圧検出回路からのダミーリプライ信号を受信しないことを特徴とする請求項１〜１０のうちのいずれか１つに記載の電圧検出回路。
【請求項１３】
前記データは、前記第１の電圧検出回路により検出されたセル電圧の電池データを含むことを特徴とする請求項１〜１２のうちのいずれか１つに記載の電圧検出回路。
【請求項１４】
複数個の電圧検出回路と、前記複数個の電圧検出回路と通信を行うホスト装置とを備え、複数のセルを直列に接続して構成される組電池の複数のセル電圧を測定する電圧測定装置であって、
前記複数個の電圧検出回路のうちの１つの電圧検出回路を第１の電圧検出回路とし、
前記各電圧検出回路は、
互いに直列に接続された複数の電圧検出回路と通信を行うホスト装置と、もしくは前記第１の電圧検出回路よりも下流側に設けられた第２の電圧検出回路を介して前記ホスト装置と、通信を行う下流側通信回路と、
前記第１の電圧検出回路よりも上流側に設けられた第３の電圧検出回路と通信を行う上流側通信回路と、
前記各電圧検出回路により検出されたデータを含むリプライ信号を発生するリプライ信号発生回路と、
前記上流側通信回路により受信された信号を下流側に転送する上流側転送回路と、
所定のダミー電流を消費するダミー電流消費回路と、
前記ホスト装置から受信した通信コマンドの信号に基づいて、前記リプライ信号発生回路と、前記上流側転送回路と、前記ダミー電流消費回路とのうちのいずれか１つを選択的に動作させるように制御する制御回路と
を備えることを特徴とする電圧測定装置。
【請求項１５】
前記データは、前記各電圧検出回路により検出されたセル電圧の電池データを含むことを特徴とする請求項１４に記載の電圧測定装置。
【請求項１６】
複数個の電圧検出回路と、ホスト装置と、複数のセルを直列に接続して構成される組電池とを備え、前記組電池の複数のセル電圧を測定する組電池システムであって、
前記複数個の電圧検出回路のうちの１つの電圧検出回路を第１の電圧検出回路とし、
前記各電圧検出回路は、
互いに直列に接続された複数の電圧検出回路と通信を行うホスト装置と、もしくは前記第１の電圧検出回路よりも下流側に設けられた第２の電圧検出回路を介して前記ホスト装置と、通信を行う下流側通信回路と、
前記第１の電圧検出回路よりも上流側に設けられた第３の電圧検出回路と通信を行う上流側通信回路と、
前記各電圧検出回路により検出されたデータを含むリプライ信号を発生するリプライ信号発生回路と、
前記上流側通信回路により受信された信号を下流側に転送する上流側転送回路と、
所定のダミー電流を消費するダミー電流消費回路と、
前記ホスト装置から受信した通信コマンドの信号に基づいて、前記リプライ信号発生回路と、前記上流側転送回路と、前記ダミー電流消費回路とのうちのいずれか１つを選択的に動作させるように制御する制御回路と
を備えることを特徴とする組電池システム。
【請求項１７】
前記データは、前記各電圧検出回路により検出されたセル電圧の電池データを含むことを特徴とする請求項１６に記載の組電池システム。
【国際調査報告】
2019044854.tif 000021
2019044854.tif 000022
2019044854.tif 000023